(57)【要約】皮膚剥離や洗浄用品の使用および皮膚剥離や洗浄用品を製造する装置と方法。品物は、皮膚のある範囲を皮膚の異常を除去するために研磨するための研磨用結晶を含有する混成物を保持するハンドルを有する。混成物は洗浄剤も含有する。
2006510398.tif 000002
【特許請求の範囲】
【請求項１】
複数の研磨用粒子と複数の洗浄剤を含む固形混成物と、
前記混成物の第１の面から突き出し、少なくとも２本の指の間に保持できる形状をしたハンドルと
を備える装置。
【請求項２】
前記複数の研磨用粒子がコランダム結晶を含む請求項１に記載の装置。
【請求項３】
前記混成物がへちま片を含む請求項１に記載の装置。
【請求項４】
前記混成物がスポンジ片を含む請求項１に記載の装置。
【請求項５】
前記混成物の形状が実質的に円板である請求項１に記載の装置。
【請求項６】
前記ハンドルの突き出している部分が実質的にＴ字形である請求項１に記載の装置。
【請求項７】
前記ハンドルの頂上部分が、少なくとも２本の指で把持したとき快適に人間の手にフィットするような曲線を描いている請求項６に記載の装置。
【請求項８】
前記ハンドルを前記混成物に固定するために、前記混成物が前記ハンドルの底部の周りに形成される請求項１に記載の装置。
【請求項９】
前記洗浄剤がグリセリン石鹸である請求項１に記載の装置。
【請求項１０】
複数の研磨用粒子と複数の洗浄剤を含む洗浄および皮膚剥離手段と、
人間の手で前記洗浄手段を保持することができる把持手段と
を備える装置。
【請求項１１】
固形混成物の第１の面から突き出し、少なくとも２本の指の間に保持できる形状のハンドルを把持するステップであって、前記混成物が複数の研磨用粒子および複数の洗浄剤を含むステップと、
前記混成物を人間の皮膚のある領域に適用するステップと
を含む方法。
【請求項１２】
前記複数の研磨用粒子がコランダム結晶、石英ガラス結晶、または石英を含む請求項１１に記載の方法。
【請求項１３】
前記混成物がへちま片を含む請求項１１に記載の方法。
【請求項１４】
前記混成物がスポンジ片を含む請求項１１に記載の方法。
【請求項１５】
前記混成物の形状が実質的に円板である請求項１１に記載の方法。
【請求項１６】
前記ハンドルの突き出している部分が実質的にＴ字形である請求項１１に記載の方法。
【請求項１７】
前記ハンドルの頂上部分が、少なくとも２本の指で把持したとき快適に人間の手にフィットするような曲線を描いている請求項１６に記載の方法。
【請求項１８】
前記ハンドルを前記混成物に固定するために、前記混成物が前記ハンドルの底部の周りに形成される請求項１１に記載の方法。
【請求項１９】
前記洗浄剤がグリセリン石鹸である請求項１１に記載の方法。
【請求項２０】
ハンドル構造の第１の端部を入れた鋳型に混成物を充填するステップと、
皮膚剥離用品を形成するために、前記第１の端部の周りで混成物を凝固させるステップと
を含む方法。
【請求項２１】
前記混成物が洗浄剤を含む請求項２０に記載の方法。
【請求項２２】
前記混成物がへちま片を含む請求項２０に記載の方法。
【請求項２３】
前記混成物が、使用者の死んだ皮膚を剥離するための研磨用結晶を含む請求項２０に記載の方法。
【請求項２４】
前記洗浄剤が機械練石鹸である請求項２１に記載の方法。
【請求項２５】
複数の研磨用粒子と、
複数の洗浄剤と、
複数の多孔質塊粒子と
を含む混成物であって、
前記混成物が身体の洗浄に使用するのに適した形である混成物。
【請求項２６】
前記多孔質塊粒子が、へちま片とスポンジ片のうちの少なくとも１つである請求項２５に記載の混成物。
【請求項２７】
研磨用粒子が、コランダム結晶および貴石のうちの少なくとも１つである請求項２５に記載の混成物。
【発明の詳細な説明】
【技術分野】
【０００１】
スキン・トリートメント用品とその利用法およびその製造法。
【背景技術】
【０００２】
顔の皮膚の若返りは、「化学剥皮」と呼称される化学的処置、「レーザ手術」と呼称されるレーザによる処置、エメリ・ペーパなどを用いる機械的駆動手段による剥離によって行われてきた。そのような方法は、一般に、医師の監督を必要とし、有害な影響を残す危険性も伴い、また処置中に痛みと不快感を伴う。これらの方法はすべて、処置と処置との間に長い回復時間を必要とする。
【０００３】
皮膚剥離（たとえば、微小剥離、粒子表皮再生）は、皮膚の異常を改善し、また除去するために、制御された皮膚の剥離を実施するスキンケアの技術である。通常の剥離機は、患者の皮膚上で技師によって操作されるハンドピースへ、チューブを通してコランダム（酸化アルミニウムまたはアルミナ）の不活性な結晶を発射する圧縮機で構成されている。圧縮機は、ハンドピースが皮膚と接触している間、皮膚の全域にわたって圧力を変えてコランダムを発射する。これにより、剥離作用が生じ、皮膚の表面層が除去される。同時に、ハンドピース内の別のチューブを通して、使用済みのコランダムと剥離された皮膚が、処分するために別の容器に吸引される。理解されるように、圧縮機とコランダムの供給、さらには真空源と処分容器が必要なので、訓練された技師が居る専門病院に適している。
【発明の開示】
【発明が解決しようとする課題】
【０００４】
この処理方法は、費用が掛かり、複雑な機械と訓練された技師を必要とする。皮膚剥離を実施するための消費者向けの安価な方法および装置が必要とされる。
【発明を実施するための最良の形態】
【０００５】
特許請求の範囲が、例として、かつ限定的にではなく、添付図面の諸図に示されている。添付図面では、類似の参照符号は類似の要素を示す。この開示では、「或る」または「１つの」実施形態という言及は、必ずしも同一の実施形態を指すとは限らず、そのような言及は少なくとも１つの実施形態を意味することに、留意すべきである。
【０００６】
図１は、皮膚剥離用品１００の一実施形態を示す。皮膚剥離用品１００は、皮膚剥離石鹸混成物１０３とハンドル１０１を備え、ハンドル１０１は、片手で２本の指の間で使用できるように構成されている。一実施形態では、ハンドル１０１を皮膚剥離石鹸混成物１０３に対してしっかり固定するために、混成物１０３は、混成物１０３をハンドルの基底部（図示せず）の周りに形成することによって、ハンドル１０１に取り付けられている。
【０００７】
一実施形態では、混成物１０３は、皮膚剥離材料を含む石鹸ベースの組成である。混成物１０３は、基本的な成分として、人間の肌に用いるのに適した石鹸を含むベースを含む。複数の研磨用粒子がベースに混ぜ合わされる。混合物中の研磨用粒子は、皮膚剥離術に用いるのに適する。研磨用粒子は、コランダム（または、酸化アルミニウム、アルミナ、Ａｌ2Ｏ3）、酸化マグネシウム（ＭｇＯ）、ダイアモンド、ガーネット、サファイア、ルビー、エメラルド、トパーズ、石英、石英ガラス、ホウ砂、その他の類似の材料、貴石など無機粒子でもよい。一実施形態では、研磨用粒子は、上記の材料（化合物）の自然の粒子である。というのは、自然の粒子は硬く一般に鋭い角を持つ傾向があり、本明細書に記載するように用いると、人間の皮膚の表皮再生に適しているからである。上記の材料の合成粒子で置き換えることもでき、ある種の有機ポリマー（たとえば、有機微粒子−一般に丸い）で置き換えることもできる。さらに別の実施形態では、研磨用粒子は、複数の適切な材料（たとえば、自然の材料と合成材料）の混合物である。
【０００８】
一実施形態では、研磨用粒子は、平均粒子サイズが３４〜５５６マイクロメータ（３２０〜３０グリット）程度のコランダムなどの自然材料の結晶である。これら粒子は、本明細書では「結晶」または「微小結晶」と呼ぶこともある。一実施形態では、微小結晶の平均粒子サイズは約４２〜１９８マイクロメータ（２８０〜６０グリット）程度である。
【０００９】
一実施形態では、混成物１０３中の研磨材料は、コランダムまたはその他の結晶であり、混成物１０３の重量の５〜５０パーセントを構成する。一実施形態では、それらは、混成物１０３の重量の５〜２５パーセントを構成する。別の実施形態では、それらは、混成物１０３の重量の５〜１５パーセントを構成する。結晶は混成物１０３の全体にわたって均等に混合されている。
【００１０】
一実施形態では、混成物１０３の結晶のグリット・サイズは５０〜２４０の範囲（約６８０〜４０ミクロン）である。結晶の平均的サイズは約５０グリット（２５４〜４２０ミクロン）である。
【００１１】
混成物１０３中の粒子の研磨性によって、混成物１０３は、人間の皮膚のある領域の外観や感触を改善し、皮膚の異常部分を除去するための剥離材として適合する。より詳細には、研磨用粒子は皮膚を再生するように働き、皮膚の下層を表に出すために皮膚の外側の層（表皮）を除去する。人間の体は、新しい皮膚の層を生成することによってそれに対応する。１つまたは複数の（好ましくは一連の）そのような処置によって、処置を受けた皮膚を改善することができる。そのような改善には、細線、皺、進展線、非炎症性アクネ、アクネ瘢痕、手術瘢痕、粗い粗悪な肌理の皮膚、老人斑、しみ状態の皮膚、日焼けした皮膚などの外観の改善が含まれる。混成物１０３の表面の結晶は、人間の皮膚に押し付けられたと、死んだ表皮を磨き去るように働く。それにより、死んだ皮膚の外側の層を除去し、その後に健康で無傷な下層の皮膚を残すことによって、皮膚の表皮の傷や線を除去する効果を得る。
【００１２】
一実施形態では、へちま、自然のスポンジ、または人工のスポンジの粒子が混成物１０３の一部を構成する。へちまやスポンジは、衝撃吸収材や圧力吸収材として研磨用結晶と共に働く。それによって、研磨用結晶が、下層の生きている皮膚を損傷することなく死んだ表皮を除去するのに適した圧力を、処置する皮膚に加えることが可能になる。混成物１０３の表面のへちまやスポンジは、使用者の皮膚の表面を浄化する援けにもなる。ヘチマやスポンジの粒子の平均サイズは、一実施形態では、１／６４〜１／８インチ（約０．４〜３．２ｍｍ）の粒子の範囲である。一実施形態では、ヘチマやスポンジの粒子の平均サイズは、約１／３２インチ（約０．８ｍｍ）である。ヘチマやスポンジの粒子は、混成物１０３の全体にわたって均等に混合され、一実施形態では、混成物１０３の重量の１０〜３０パーセントの間に構成することができる。一実施形態では、海綿およびスポンジの粒子は、重量で混成物１０３の約１２．５パーセントである。
【００１３】
一実施形態では、他の添加物が混成物１０３の一部を構成して、浴用石鹸や皮膚剥離用製品に関連する浄化、美観、香り、剥離、肌理、または、類似の特性を強化する。その他の添加物としては、それらに限定されないが、酸化防止剤、ビタミン（特に、ビタミンＡ、Ｃ、Ｅ）、乳化剤、酸（たとえば、グリコール酸）、スクラブ、血清、ローション、諸液体、エリキシル、日焼け止め、強壮剤がある。一実施形態では、混成物１０３は、その約１２．５パーセントが海ケルプである。海ケルプは、混成物１０３がビタミンやその他の栄養分を皮膚に供給するのを援ける。海ケルプは、ヨード、アミノ酸、ビタミン（たとえば、ビタミンＡ、Ｃ、Ｂ１２、Ｅ、チアミン等）を含む物質を皮膚に供給することができる。
【００１４】
別の実施形態では、消費者に心地よい芳香をもたらすために、精油が混成物１０３に加えられる。例示的一実施形態では、混成物１０３の重量の３７．５パーセントがラベンダの精油である。精油は、芳香剤、ビタミン、栄養分、同様な物質を担持する。精油は、皮膚に湿り気を与えるようにも働く。一実施形態では、混成物１０３の残りの部分は、グリセリン石鹸またはそれと同様な洗浄剤である。一実施形態では、石鹸は１２０グレーンのグリセリン石鹸である。グリセリンの代わりに、またはそれと共に用いることができる他の洗浄剤としては、サリチル酸、ラウリル硫酸塩（たとえば、ラウリル硫酸ナトリウムまたはラウレス硫酸ナトリウム）、あるいは、その他の石鹸、洗浄剤、または人間の皮膚に用いることができる類似の素材がある。表面活性剤や酸化防止剤、さらに抗菌剤と殺菌剤などの他の成分を、混成物１０３に含んでもよい。
【００１５】
石鹸中に溶け込んでいる研磨用粒子は、皮膚の表面再生／若返りのための穏やかな皮膚剥離をもたらし、それぞれの処置の後に回復時間を要することなく滑らかで柔らかい皮膚を残し、したがって、処置を毎日の頻度で繰り返すことができる。その結果、細線や皺を減らし、毛穴を小さくし、日焼け、老人斑、皮膚脱色を軽減しまたは無くし、肌と筋肉を引き締め、それによって、たるみを減らし、新しい表皮細胞を強化し、皮膚のアクネ環境を緩和することができる。皮膚、特に顔の皮膚を若返らせるこの方法は、レーザ手術、化学剥皮、または機械駆動剥離を行うことを望まない、または行うことが不可能な人々にとって理想的である。
【００１６】
一実施形態では、混成物１０３とハンドル１０１を含む品物の高さは、約３．５インチ（約９ｃｍ）である。ハンドル１０１は、Ｔ字形の頂上の交差バーの差し渡し長さが、約２インチ（約５ｃｍ）である。円形の実施形態の品物１００の直径は、約４インチ（約１０ｃｍ）である。一実施形態では、円形実施形態の品物１００の下面は凸面であり、皮膚と下面が接触する割合を大きくして、皮膚への皮膚剥離用途における品物１００の使用特性を改善する。
【００１７】
図２は、混成物１０３に取り付けられたハンドル１０１を備える皮膚剥離用品の実施形態を示す。ハンドル１０１は保護円板２０５に結合されている。保護円板２０５は、混成物１０３の上側表面上に設けられている。保護円板２０５は、使用者が品物２００を使用しているとき、使用者の手を混成物１０３から保護する。それによって、混成物１０３の上面の不必要な摩滅を防ぎ、使用者の手を、品物２００との接触による過度な剥離から守る。保護円板２０５は、ハンドル１０１の突き出し部付近の混成物１０３の上面を、少なくとも、ハンドル１０１の支柱２０７との間に指２本を受け入れられる大きさの面積で覆う任意の２次元形状でよい。
【００１８】
図３は、ハンドル１０１を保護円板２０５と共に示す。一実施形態では、ハンドル１０１はＴ字形である。Ｔ字形の頂上の横木の下側は、少なくとも２本の指が快適にフィットするような曲線を描いている。ハンドル１０１は、混成物１０３がその周りに形成される下側円板構造３０７を備える。基部円板２０５と下側円板構造３０７を備えるハンドル１０１は、塩化ポリビニル（ＰＶＣ）などの合成樹脂材料、または石鹸のハンドルを製作するのに適したその他の材料で構成される。下側円板構造３０７を有するハンドル１０１は、保護円板２０５付き、または無しで、合成樹脂または類似の材料の一体成型単一部品として成型することができる。一実施形態では、ハンドル１０１は、Ｔ字形部、保護円板２０５、下側円板３０７に対応する別々の硬質合成樹脂部品から構成される。それぞれの部品は、中心を貫通して雌ねじ立てを行い、諸部品を一体に締め上げる中心ねじ用のねじ穴を形成する。別々の部品をまとめて固定するために、ナット、ボルト、留め金、同様な締め具などの他の形式の締め具を使用することができる。
【００１９】
図４Ａ、４Ｂは、混成物１０３形状が非円形である実施形態を示す。一実施形態では、品物４０１は、混成物１０３の中心に基部保護円板２０５有するハンドル１０１を備える、実質的な楕円形である。楕円形状は、底面の面積と皮膚面積の比率をさらに改善し、品物４０１を線形皮膚剥離に適用し易くする。別の実施形態では、品物４０３は、保護基部２０５を有するハンドル１０１部品以外は通常の箱形石鹸のように、実質的に箱形形状である。通常の箱形形状を使用することにより、品物４０３を、好都合には、箱形石鹸用に設計された石鹸皿または容器と共に使用することができる。一実施形態では、品物４０１、４０３の混成物１０３は、底面と、洗浄され剥離される人間の皮膚との接触状態を改善するために、凸または凹形の底面を有する。一実施形態では、混成物１０３は、人間の皮膚の諸領域、特にほぼ凸形状である領域に適用し易くするために、比較的平坦な上面と凹形の下面を有する鞍形をしている。
【００２０】
一実施形態では、いかなる３次元形状でも混成物１０３に用いることができる。別の実施形態では、混成物１０３やハンドル１０１は、人間の顔に適用し易いような形状になっている。これは、より狭い表面積の混成物１０３と、顔の皮膚領域に混成物１０３を適用するときにより精度が上がるように、少なくとも一本の親指と一本の指によって使用するための、ハンドル１０１に代わる把持構造を有する。
【００２１】
図５は、品物１００の一実施形態を使用している手を示す。品物１００は、ハンドル１０１の交差バーの下に置かれる少なくとも２本の手指によって保持される。手は、ハンドル１０１の上の交差バーと保護円板２０５の間に置かれる。品物１００は、処置や洗浄される皮膚領域の表面上で動かすことによって使用される。品物１００は、通常の浴用固形石鹸と同様に、水と一緒に皮膚に適用することができる。
【００２２】
図６は、品物１００を製造する一実施形態の流れ図である。一実施形態では、混成物１０３は、混合物を形成するために研磨用結晶、へちままたはスポンジ粒子、さらには所望の添加剤を混合した（ブロック６０１）機械練石鹸から形成する。石鹸混合物を、熱く形が柔らかいうちに鋳型に注入する（ブロック６０３）。ハンドル１０１の下側円板構造３０７も、鋳型の中に配置する（ブロック６０５）。所望の石鹸を形成するために、様々な形状やサイズの鋳型を使用することができる。鋳型を充満し閉じた後（ブロック６０７）、石鹸混合物と添加物がハンドル１０１の下側円板構造３０７を包んだまま、凝固するまで混合物を冷却する（ブロック６０９）。次いで、固形の混成物を鋳型から取り外す（ブロック６１１）。成型混成物を製作するために、押出し成型や同様な技術など、他の技術を用いてもよい。
【００２３】
本明細書では、本発明をその特定な実施形態に関して説明してきた。しかし、添付の特許請求の範囲に示される本発明の広範な精神と範囲から逸脱することなく、その実施形態に様々な修正、変形を加えることができることは明らかであろう。したがって、本明細書および図面は、限定的な意味ではなく例示的な意味であると見なすべきである。
【図面の簡単な説明】
【００２４】
【図１】ハンドルを有する石鹸混成物の斜視図である。
【図２】保護基部を備えるハンドルを有する石鹸混成物の斜視図である。
【図３】保護基部を有するハンドルの斜視図である。
【図４Ａ】楕円形石鹸混成物およびハンドルの斜視図である。
【図４Ｂ】箱形形状石鹸混成物およびハンドルの斜視図である。
【図５】人間の手で保持された円形石鹸混成物の斜視図である。
【図６】本製品を製造する工程を示す流れ図である。
【図１】
2006510398.tif 000003
【図２】
2006510398.tif 000004
【図３】
2006510398.tif 000005
2006510398.tif 000006
【図５】
2006510398.tif 000007
【図６】
2006510398.tif 000008
【国際調査報告】
2006510398.tif 000009